(57)【特許請求の範囲】
【請求項１】
下記の構成要件（Ａ01）〜（Ａ07）を備えたことを特徴とする蒸着装置、
（Ａ01）外壁内部に形成された真空に保持される真空室内に配置され且つ蒸着口が形成された壁部材により形成される蒸着源室、
（Ａ02）前記蒸着源室の外部で且つ前記蒸着口の下方の位置に保持された試料、
（Ａ03）前記蒸着源室内に配置されて、上方に開口するるつぼ、
（Ａ04）加熱されたときに蒸発して前記試料表面に蒸着する蒸着物質となる蒸着源を保持する前記るつぼ、
（Ａ05）前記るつぼ内の蒸着源を加熱蒸発させて、蒸着物質にする蒸着源加熱装置、
（Ａ06）前記蒸着源室内の前記るつぼの上方位置で且つ前記試料と前記蒸着口とを結ぶ直線上に配置されて、前記るつぼから蒸発した蒸着物質を前記蒸着口に向かわせる反射板、
（Ａ07）前記反射板を加熱する反射板加熱装置。
【請求項２】
下記の構成要件（Ａ08）〜（Ａ010）を備えたことを特徴とする試料分析装置。
（Ａ08）請求項1記載の蒸着装置、
（Ａ09）前記蒸着装置の下方に配置され且つ前記蒸着装置により蒸着される試料を支持する試料ステージ、
（Ａ010）前記試料ステージに支持された試料表面に探針の先端が対向する状態で前記探針を移動可能に支持する探針支持装置。
【発明の詳細な説明】
【０００１】
【発明の属する技術分野】
本発明は、荷電粒子線装置（電子顕微鏡装置、電子ビーム、イオンビーム等を用いた分析装置、等）を使用して観察、分析する試料の表面に蒸着膜を形成する蒸着装置、および前記蒸着装置を備え前記蒸着装置より蒸着膜を形成された試料表面を顕微分析する試料分析装置に関する。
【０００２】
【従来の技術】
前記蒸着装置としては、従来、下記（Ｊ01）に示す技術が知られている。
（Ｊ01）図５に示す技術
図５は超高真空走査型トンネル顕微鏡（ＵＨＶ−ＳＴＭ）で使用される従来の蒸着装置の概略説明図である。
なお、以後の説明の理解を容易にするために、図面において、前後方向をＸ軸方向、上下方向をＹ軸方向、左右方向をＺ軸方向とし、矢印Ｘ，−Ｘ，Ｙ，−Ｙ，Ｚ，−Ｚで示す方向または示す側をそれぞれ、前方、後方、上方、下方、右方、左方、または、前側、後側、上側、下側、右側、左側、とする。
また、図中、「○」の中に「・」が記載されたものは紙面の裏から表に向かう矢印を意味し、「○」の中に「×」が記載されたものは紙面の表から裏に向かう矢印を意味するものとする。
【０００３】
図５において、外壁０１の右側面で下部には真空フランジ０２が装着されており、前記外壁０１内部に形成されて真空に保持される真空室０３内には、前記外壁０１に固定された超高真空走査型トンネル顕微鏡Ｕの基台０４が配置されている。
前記基台０４には、上下方向（Ｙ軸方向）に貫通する蒸着物質通過孔０４aが形成されており、前記基台０４上で前記蒸着物質通過孔０４aの左側（−Ｚ側）には、Ｘ軸方向（前後方向）およびＹ軸方向（上下方向）に移動可能なＸＹステージ０６が配置されている。前記ＸＹステージ０６には試料Ｓを保持する試料ホルダ０７が装着されている。
前記試料Ｓの右側（Ｚ側）で前記蒸着物質通過孔０４aの右側には、探針０８を支持する探針支持装置０９が配置されている。
【０００４】
前記基台０４の下方（−Ｙ方向）には、試料表面に蒸着膜を形成するための蒸着装置Ｊが配置されている。
前記蒸着装置Ｊは、前記真空フランジ０２の内端側に固定される円筒カバー０１１と、前記真空フランジ０２に固定される端子０１２a，０１２aとを有している。前記円筒カバー０１１の左端側で上方側の部分には蒸着口０１１a，０１１aが形成されている。前記端子０１２a，０１２aは真空フランジ０２の内側である真空側と前記外側である大気側とを電気的に接続するための部材である。
また、前記蒸着装置Ｊの端子０１２a，０１２aの外端部（右側の端部）には加熱電源０１３が接続されており、内端部（左側の端部）には蒸着用フィラメント０１４が接続されている。前記蒸着用フィラメント０１４はるつぼ０１６に巻付けられている。
前記るつぼ０１６はその開口が上方の前記蒸着口０１１a，０１１a側に向けられており、前記るつぼ０１６の内部には粉末の蒸着源（図示せず）が保持されている。
【０００５】
前記加熱用電源０１３から前記蒸着用フィラメント０１４に数Ａ程度の電流を流して加熱し、前記るつぼ０１６内に入っている粉末の蒸着源を加熱する。加熱により前記蒸着源から蒸発した蒸着物質Ａは前円筒カバー０１１の蒸着口０１１a，０１１aを経て、前記蒸着口０１１a，０１１a斜め上方に固定されている前記基台０４の蒸着物質通過孔０４aを通過し、前記基台０４上に保持されている試料Ｓの表面に蒸着する。
蒸着源が粉末の場合には、るつぼが必要であるが、線材あるいは、塊の場合には、るつぼを使わないのが一般的である。
【０００６】
【発明が解決しようとする課題】
（前記（Ｊ01）の問題点）
前記従来技術（Ｊ01）では、蒸着源が線材あるいは塊の場合には、るつぼ０１６を使用せず、蒸着口０１１aを下向きに取り付け、試料に対して上方から蒸着することもできるが、粉末の蒸着源を使用する場合には、るつぼ０１６を下向きにすることができないので、試料Ｓに対して下方からしか蒸着できない。このため、試料Ｓおよびこれを支持する部材に対してるつぼ０１６およびこれを支持する部材を下方に配置する必要があり、逆の配置では蒸着を行うことができないとう問題があった。
たとえば、前記従来技術（Ｊ01）のような超高真空走査型トンネル顕微鏡Ｕの場合、試料Ｓを保持するＸＹステージ０６を支持する基台０４の下方に前記るつぼ０１６を支持する前記蒸着装置Ｊを配置しようとしても、前記基台０４の下方にスペースが少なく、るつぼ０１６を支持する前記蒸着装置Ｊを下方に配置することができない場合がある。また、前記下方にスペースがある場合でもわざわざ基台０４に蒸着物質Ａを通過させるための蒸着物質通過孔０４aを設けなければならない。
このため、前記従来のるつぼを使用する蒸着装置Ｊは試料保持位置の下方に蒸着装置配置用のスペースがある場合にしか使用できないという問題がある。
【０００７】
本発明は、前述の事情に鑑み下記（Ｏ01）の記載内容を課題とする。
（Ｏ01）蒸着源を保持するるつぼを試料の上方に配置しても蒸着できるようにすること。
【０００８】
【課題を解決するための手段】
次に、前記課題を解決した本発明を説明するが、本発明の説明において本発明の構成要素の後に付記したカッコ内の符号は、本発明の構成要素に対応する後述の実施例の構成要素の符号である。なお、本発明を後述の実施例の構成要素の符号と対応させて説明する理由は、本発明の理解を容易にするためであり、本発明の範囲を実施例に限定するためではない。
【０００９】
（本発明）
前記課題を解決するために、本発明の蒸着装置は下記の要件を備えたことを特徴とする、
（Ａ01）外壁（１）内部に形成された真空に保持される真空室（３）内に配置され且つ蒸着口（１３a，１３a）が形成された壁部材（１３）により形成される蒸着源室（Ｊ1）、
（Ａ02）前記蒸着源室（Ｊ1）の外部で且つ前記蒸着口（１３a，１３a）の下方の位置に保持された試料（Ｓ）、
（Ａ03）前記蒸着源室（Ｊ1）内に配置されて、上方に開口するるつぼ（２２）、
（Ａ04）加熱されたときに蒸発して前記試料（Ｓ）表面に蒸着する蒸着物質（Ａ）となる蒸着源を保持する前記るつぼ（２２）、
（Ａ05）前記るつぼ（２２）内の蒸着源を加熱蒸発させて、蒸着物質（Ａ）にする蒸着源加熱装置（１４＋１８＋２１）、
（Ａ06）前記蒸着源室（Ｊ1）内の前記るつぼ（２２）の上方位置で且つ前記試料と前記蒸着口とを結ぶ直線上に配置されて、前記るつぼ（２２）から蒸発した蒸着物質（Ａ）を前記蒸着口（１３a，１３a）に向かわせる反射板（２３）、
（Ａ07）前記反射板（２３）を加熱する反射板加熱装置（１７＋１９＋２４;１７＋１９＋２４〜２８）。
また、本発明の試料分析装置は、下記の構成要件（Ａ08）〜（Ａ010）を備えたことを特徴とする。
（Ａ08）請求項1記載の蒸着装置（Ｊ）
（Ａ09）前記蒸着装置（Ｊ）の下方に配置され且つ前記蒸着装置（Ｊ）により蒸着される試料（Ｓ）を支持する試料ステージ（６）、
（Ａ010）前記試料ステージ（６）に支持された試料（Ｓ）表面に探針（１２）の先端が対向する状態で前記探針（１２）を移動可能に支持する探針支持装置（Ｔ）。
【００１０】
（本発明の作用）
前記構成要件（Ａ01）〜（Ａ07）を備えた本発明の蒸着装置では、上方に開口するるつぼ（２２）および反射板（２３）は、蒸着口（１３a，１３a）が形成された壁部材（１３）によって形成された蒸着源室（Ｊ1）内に配置される。前記るつぼ（２２）は、加熱されたときに蒸発して試料（Ｓ）表面に蒸着する蒸着物質（Ａ）となる蒸着源を保持する。蒸着源加熱装置（１４＋１８＋２１）は、前記るつぼ（２２）内の蒸着源を加熱蒸発させて、蒸着物質（Ａ）にする。前記上方に開口するるつぼ（２２）から蒸発してるつぼ（２２）上方の反射板（２３）に向かった蒸着物質（Ａ）は前記反射板（２３）に接触する。前記反射板（２３）は、反射板加熱装置（１７＋１９＋２４；１７＋１９＋２４〜２８）により加熱されるので、前記反射板（２３）に接触した蒸着物質（Ａ）は、前記反射板（２３）に蒸着せずに離れるかまたは蒸着してもすぐに再蒸発して離れる。前記反射板（２３）は前記反射板（２３）に接触してから離れた前記蒸着物質（Ａ）を前記蒸着口（１３a，１３a）に向かわせる。前記蒸着口（１３a，１３a）を直線に沿って通過した蒸着物質（Ａ）は、前記蒸着源室（Ｊ1）の外部で且つ前記蒸着口（１３a，１３a）の下方の位置に保持された真空室（３）内の試料（Ｓ）に蒸着する。
したがって、前記試料（Ｓ）に対して上方に配置したるつぼ（２２）内から加熱蒸発させた蒸着物質（Ａ）を前記試料（Ｓ）に蒸着させることが可能である。
また、前記加熱されるるつぼ（２２）および反射板（２３）は、壁部材（１３）内側の蒸着源室（Ｊ１）内に配置されるので、るつぼ（２２）から蒸発した蒸着物質（Ａ）のうち、前記反射板（２３）に向かわなかったものが、蒸着源室（Ｊ１）の外側に漏出するのを防止することができる。したがって、前記蒸着源室（Ｊ１）の外側の真空室（３）内に蒸着物質（Ａ）が漏出し難いので、真空室（３）内の蒸着物質（Ａ）による汚染を防止することができる。このため、本発明の蒸着装置は、超高真空走査型トンネル顕微鏡の高真空室内で使用可能である。
また、前記構成要件（Ａ08）〜（Ａ010）を備えた本発明の試料分析装置では、前記蒸着装置（Ｊ）の下方に配置された試料ステージ（６）は、前記蒸着装置（Ｊ）により蒸着される試料（Ｓ）を支持する。探針支持装置（Ｔ）は、前記試料ステージ（６）に支持された試料（Ｓ）表面に探針（１２）の先端が対向する状態で前記探針（１２）を移動可能に支持する。前記探針（１２）の先端を試料（Ｓ）表面に沿って走査することにより試料（Ｓ）表面の顕微分析を行うことができる。
【００１１】
また、前記試料（Ｓ）を超高真空走査型トンネル顕微鏡（Ｕ）などの試料ステージ（６）に保持した場合には、本発明の蒸着装置（Ｊ）は、前記試料（Ｓ）を保持する試料ステージ（６）上方に配置しても前記試料（Ｓ）を蒸着することができるので、前記試料ステージ（６）を支持する部材下方のスペースの少ない超高真空走査型トンネル顕微鏡（Ｕ）などにおいても蒸着を行うことができる。また、前記試料ステージ（６）を支持する部材下方のスペースがある場合でも、本発明の蒸着装置（Ｊ）は、前記試料（Ｓ）を保持する試料ステージ（６）上方に配置するので、前記試料（Ｓ）より下方に配置された前記試料ステージ（６）を支持する部材に蒸着物質（Ａ）を通過させるための通過孔を設ける必要がない。
【００１２】
【発明の実施の形態】
【実施例】
次に図面を参照しながら、本発明の蒸着装置の実施の態様の例（実施例）を説明するが、本発明は以下の実施例に限定されるものではない。
（実施例１）
図１は本発明の実施例１の蒸着装置を超高真空走査型トンネル顕微鏡で使用した場合の概略説明図である。
図１において、外壁１の右側（Ｚ側）面で上部には真空フランジ２が装着されている。前記外壁１によって形成されて、真空に保持された真空室３内の下側（−Ｙ側）には、前記外壁１に固定された超高真空走査型トンネル顕微鏡Ｕの基台４が配置されている。
前記基台４上で左側（−Ｚ側）にはＸ軸方向（前後方向）およびＹ軸方向（上下方向）に移動可能なＸＹステージ６が配置されており、前記ＸＹステージ６には試料Ｓを保持する試料ホルダ７が装着されている。
【００１３】
前記試料Ｓの右方には探針支持装置Ｔが配置されている。
前記探針支持装置Ｔは、前記基台４上に配置されたＺ方向駆動機構８を有しており、前記Ｚ方向駆動機構８の左端側にはＸＹＺ方向圧電走査素子９が支持されている。前記ＸＹＺ方向圧電走査素子９の左端側には探針ホルダ１１が支持されている。前記探針ホルダ１１は探針１２を支持しており、前記探針１２の先端は前記試料Ｓの表面に向いている。
前記超高真空走査型トンネル顕微鏡Ｕ上方には蒸着装置Ｊが配置されている。
【００１４】
図１において、前記蒸着装置Ｊは、前記真空フランジ２の左端面（−Ｚ方向の面）に固定されている円筒カバー（壁部材）１３を有している。前記円筒カバー１３の左端側で下方側の部分には蒸着口１３a，１３aが形成されており、前記円筒カバー１３内には蒸着源室Ｊ1が設けられている。
前記円筒カバー１３は蒸着物質が前記試料Ｓの方向以外に広がらないようするための部材である。
また、前記真空フランジ２の下側の部分には、前記蒸着装置Ｊのるつぼ加熱用端子１４，１４が固定されており、前記るつぼ加熱用端子１４，１４の固定されている上側の部分には反射板支持部材１６および反射板加熱用端子１７，１７がそれぞれ固定されている。
前記るつぼ加熱用端子１４，１４および反射板加熱用端子１７，１７の外端部にはそれぞれるつぼ加熱用電源１８および反射板加熱用電源１９が接続されている。
前記るつぼ加熱用端子１４，１４の内端部には蒸着用フィラメント２１が接続されており、前記蒸着用フィラメント２１はるつぼ２２に巻付けられている。前記るつぼ２２の開口は上方に向けられており、内部には図示しない粉末の蒸着源が保持されている。
【００１５】
前記るつぼ２２の上方（Ｙ方向）には、前記反射板支持部材１６に支持された反射板２３が配置されている。前記反射板２３は厚さが薄く、高融点物質で構成されている。前記反射板２３は効率良く蒸着物質Ａを反射させるために凹面になっていることが望ましい。
前記反射板２３の上面側には、反射板加熱用フィラメント２４が配置されており、前記反射板加熱用端子１７，１７の内端部に接続されている。
前記反射板２３は前記反射板加熱用フィラメント２４の輻射線により加熱されるようになっている。
なお、前記るつぼ加熱用端子１４，１４、るつぼ加熱用電源１８および蒸着用フィラメント２１から実施例１の蒸着源加熱装置（１４＋１８＋２１）が構成され、前記反射板加熱用端子１７，１７、反射板加熱用電源１９および反射板加熱用フィラメント２４から実施例１の反射板加熱装置（１７＋１９＋２４）が構成される。
【００１６】
（実施例１の作用）
図１において、前記るつぼ加熱用電源１８から前記蒸着用フィラメント２１に数Ａ程度の電流を流して加熱し、前記るつぼ２２内に入っている粉末の蒸着源を加熱する。加熱により前記蒸着源から蒸発した蒸着物質Ａはるつぼ２２上方の反射板２３の下面に接触する。
前記蒸着源の加熱とともに、前記反射板加熱用電源１９から前記反射板加熱用フィラメント２４に数Ａ程度の電流を流して加熱し、前記反射板加熱用フィラメント２４の下方の反射板２３を加熱する。前記反射板２３が加熱されることにより前記反射板２３下面に接触した前記蒸着物質Ａは反射板２３に蒸着せずに離れるかまたは蒸着してもすぐに再蒸発する。再蒸発した蒸着物質Ａは、いわば反射板２３がるつぼとなって前記反射板２３の前方に飛び出し、その内の前記蒸着口１３a，１３aを通過したものが、前記蒸着口１３a，１３a斜め下方の前記超高真空走査型トンネル顕微鏡ＵのＸＹステージ６に保持されている試料Ｓの表面に蒸着する。
【００１７】
したがって、前記試料Ｓに対して上方に配置した蒸着装置Ｊのるつぼ２２内から加熱蒸発させた蒸着物質Ａを前記蒸着装置Ｊのるつぼ２２の下方の試料Ｓに蒸着させることが可能である。
また、本発明の実施例１の蒸着装置Ｊは、前記試料Ｓを保持するＸＹステージ６上方に配置しても前記試料Ｓを蒸着することができるので、前記ＸＹステージ６を支持する基台４下方のスペースの少ない超高真空走査型トンネル顕微鏡Ｕにおいても蒸着を行うことができる。また、前記ＸＹステージ６を支持する基台４下方のスペースがある場合でも、本発明の実施例１の蒸着装置Ｊは、前記試料Ｓを保持するＸＹステージ６上方に配置するので、前記ＸＹステージ６を支持する基台４に蒸着物質Ａを通過させるための通過孔を設ける必要がない。
さらに、前記反射板加熱用フィラメント２４の輻射線により前記反射板２３を加熱するので、この実施例１の蒸着装置Ｊは融点が数百℃程度の物質に適している。
【００１８】
（実施例２）
図２は本発明の実施例２の蒸着装置の概略説明図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
図２において、この実施例２では、前記実施例１の反射板支持部材１６の代わりに高圧印加用端子２６が真空フランジ２に固定されている。前記高圧印加用端子２６の外端部には高圧印加用電源２７が接続されている。
前記高圧印加用端子の内端部にはリード用棒２８が固定されており、前記リード用棒２８の先端には前記反射板２３が固定されている。また、この実施例２では前記高圧印加用電源２７から反射板２３に数百Ｖ以上の高圧電圧を印加するとともに前記反射板加熱用電源１９から前記反射板加熱用フィラメント２４に電流を流して熱電子を発生させ、前記熱電子を前記反射板２３に当て電子衝撃加熱により、反射板２３を加熱するようになっている。
なお、前記符号１７，１９，２４，２６，２７，２８で示される要素から実施例２の反射板加熱装置（１７＋１９＋２４〜２８）が構成される。
【００１９】
（実施例２の作用）
前記るつぼ加熱用電源１８から前記蒸着用フィラメント２１，２１に数Ａ程度の電流を流して加熱し、前記るつぼ２２内の蒸着源を加熱蒸発させて蒸着物質を発生させる。同時に、前記高圧印加用電源２７から反射板２３に数百Ｖ以上の高圧電圧を印加するとともに前記反射板加熱用電源１９から前記反射板加熱用フィラメント２４に数Ａ程度の電流を流して熱電子を発生させ、前記熱電子を前記反射板２３に当て電子衝撃加熱により、反射板２３を加熱する。
前記反射板２３が加熱されることにより前記反射板２３下面に接触していた蒸着物質Ａが前記反射板２３に蒸着せずに離れるかまたは蒸着してもすぐに再蒸発して反射板２３から離れる。
前記反射板２３に接触してから離れた蒸着物質Ａは前円筒カバー１３の蒸着口１３a，１３aを経て、前記蒸着口１３a，１３a斜め下方の試料Ｓのに蒸着する。
【００２０】
したがって、前記試料Ｓに対して上方に配置した蒸着装置Ｊのるつぼ２２内から加熱蒸発させた蒸着物質Ａを前記蒸着装置Ｊのるつぼ２２の下方の試料Ｓに蒸着させることが可能である。
また、本発明の実施例２の蒸着装置Ｊは、前記試料Ｓを保持するＸＹステージ６上方に配置しても前記試料Ｓを蒸着することができるので、前記ＸＹステージ６を支持する基台４下方のスペースの少ない超高真空走査型トンネル顕微鏡Ｕにおいても蒸着が可能である。前記ＸＹステージ６を支持する基台４下方のスペースがある場合でも、前記ＸＹステージ６を支持する基台４に蒸着物質Ａを通過させるための通過孔を設ける必要がない。
また、前記反射板２３の加熱は、前記反射板２３に前記熱電子を当て電子衝撃加熱により前記反射板２３を加熱しようとするので、この実施例２の蒸着装置Ｊは融点が千℃以上の高融点物質に適している。
【００２１】
（実施例３）
図３は本発明の実施例３の蒸着装置の概略説明図である。
なお、この実施例３の説明において、前記実施例１の構成要素に対応する構成要素には同一の符号を付して、その詳細な説明を省略する。
この実施例３は、下記の点で前記実施例１と相違しているが、他の点では前記実施例１と同様に構成されている。
図３において、この実施例３では反射板加熱用電源１９に接続するヒータ（図示せず）が前記反射板２３に接着するように配置され、前記反射板２３を加熱するようになっている。また、前記実施例１の反射板加熱用フィラメント２４の代わりにリード用棒２９が反射板加熱用端子１７，１７の内端側に接続されている。
【００２２】
（実施例３の作用）
前記るつぼ加熱用電源１８から前記蒸着用フィラメント２１，２１に数Ａ程度の電流を流して加熱し、前記るつぼ２２内に入っている粉末の蒸着源を加熱する。加熱により前記蒸着源から蒸発した蒸着物質Ａはるつぼ２２上方の反射板２３の下面に接触する。
前記蒸着源の加熱とともに、前記反射板加熱用電源１９から図示しないヒータに電流を流して加熱し、反射板２３を加熱する。前記反射板２３が加熱されることにより前記反射板２３下面に接触していた蒸着物質Ａが前記反射板２３に蒸着せずに離れるかまたは蒸着してもすぐに再蒸発して反射板２３から離れる。
前記反射板２３に接触してから離れた蒸着物質Ａは前円筒カバー１３の蒸着口１３a，１３aを経て、前記蒸着口１３a，１３a斜め下方の試料Ｓの表面に蒸着する。
したがって、この実施例３においても前記試料Ｓに対して上方に配置した蒸着装置Ｊのるつぼ２２内から加熱蒸発させた蒸着物質Ａを前記蒸着装置Ｊのるつぼ２２の下方の試料Ｓに蒸着させることが可能となる。
【００２３】
（実施例４）
図４は本発明の実施例４の蒸着装置の概略説明図である。
なお、この実施例４の説明において、前記実施例１の構成要素に対応する構成要素には同一の符号を付して、その詳細な説明を省略する。
この実施例４は、下記の点で前記実施例１と相違しているが、他の点では前記実施例１と同様に構成されている。
図４において、この実施例４の反射板２３と前記反射板２３上方のるつぼ２２とは一体化されており、前記反射板２３およびるつぼ２２は前記るつぼ２２に巻き付いている蒸着用フィラメント２１によって加熱されるようになっている。このため、実施例１の反射板加熱用電源１９、反射板加熱用フィラメント２４は省略されている。
この実施例４においても前記実施例１と同様、蒸着装置Ｊのるつぼ２２内から加熱蒸発させた蒸着物質Ａを前記蒸着装置Ｊのるつぼ２２の下方の試料Ｓに蒸着させることが可能である。
【００２４】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（Ｈ01）前記各実施例ではるつぼ２２は蒸着用フィラメント２１によって加熱した場合を例示したが、前記るつぼ２２に熱電子を当てる電子衝撃加熱による方法が採用可能である。
（Ｈ02）本発明の蒸着装置は超高真空走査型トンネル顕微鏡Ｕ以外の荷電粒子線装置でも使用可能である。
【００２５】
【発明の効果】
前述の本発明の蒸着装置は、下記の効果を奏することができる。
（Ｅ01）蒸着源を保持するるつぼを試料の上方に配置しても蒸着ができる。
【図面の簡単な説明】
【図１】  図１は本発明の実施例１の蒸着装置を超高真空走査型トンネル顕微鏡で使用した場合の概略説明図である。
【図２】  図２は本発明の実施例２の蒸着装置の概略説明図である。
【図３】  図３は本発明の実施例３の蒸着装置の概略説明図である。
【図４】  図４は本発明の実施例４の蒸着装置の概略説明図である。
【図５】  図５は超高真空走査型トンネル顕微鏡（ＵＨＶ−ＳＴＭ）で使用される従来の蒸着装置の概略説明図である。
【符号の説明】
Ａ…蒸着物質、Ｊ1…蒸着源室、Ｓ…試料、
１…外壁、３…真空室、１３…壁部材、１３a，１３a…蒸着口、２２…るつぼ、２３…反射板、
（１４＋１８＋２１）…蒸着源加熱装置、
（１７＋１９＋２４；１７＋１９＋２４〜２８）…反射板加熱装置。
【図１】
0003730402.tif 000002
【図２】
0003730402.tif 000003
【図３】
0003730402.tif 000004
【図４】
0003730402.tif 000005
【図５】
0003730402.tif 000006